(57)【要約】【課題】排水設備の微小な圧力調整が可能であると共に、排水設備の点検口から多くの排水を排出可能な排水設備用蓋を提供する。【解決手段】蓋１０は、排水設備の点検口１１に固定される蓋枠１２と、排気孔１３ｂが形成され、蓋枠１２に載置されることにより蓋枠１２に着脱自在に装着される蓋本体１５と、排気孔１３ｂを開閉自在に覆うように蓋本体１５に載置された排気弁１４と、を備える。蓋本体１５は、排気孔１３ｂが形成された本体部１３と、本体部１３が蓋枠１２から浮上したときに蓋枠１２と係合することによって蓋本体１５の飛散を防止するストッパ１６と、を有している。【選択図】図３
2018025025.tif 000002
【特許請求の範囲】
【請求項１】
排水設備の点検口に固定される蓋枠と、
排気孔が形成され、前記蓋枠に載置されることにより前記蓋枠に着脱自在に装着される蓋本体と、
前記排気孔を開閉自在に覆うように前記蓋本体に載置された排気弁と、を備え、
前記蓋本体は、前記排気孔が形成された本体部と、前記本体部が前記蓋枠から浮上したときに前記蓋枠と係合することによって前記蓋本体の飛散を防止するストッパと、を有している排水設備用蓋。
【請求項２】
前記排気弁の重量は、前記蓋本体の重量よりも小さい、請求項１に記載の排水設備用蓋。
【請求項３】
前記蓋本体の平面視面積は、前記排気弁の平面視面積よりも大きい、請求項１または２に記載の排水設備用蓋。
【請求項４】
前記排気弁は、平面視において円形に形成された弁体部を有し、
前記蓋本体の前記本体部は、平面視において前記弁体部の周囲を囲む環状部を有している、請求項１〜３のいずれか一つに記載の排水設備用蓋。
【請求項５】
前記蓋本体の前記本体部のうち前記環状部の径方向内側の部分は、下方に凹んだ凹部を有しており、
前記排気弁の前記弁体部は、前記凹部に嵌合するように構成され、
前記弁体部が前記凹部に嵌合しているときに、前記蓋本体の上面と前記排気弁の上面とが実質的に面一になるように構成されている、請求項４に記載の排水設備用蓋。
【請求項６】
前記蓋本体の前記本体部は、前記環状部よりも径方向の内側に配置された筒状部と、前記筒状部と前記環状部とをつなぐ架け渡し部とを有し、
前記排気孔は、前記筒状部と前記環状部と前記架け渡し部とにより仕切られており、
前記排気弁は、前記弁体部から下方に延びかつ前記筒状部にスライド可能に挿通された軸部と、前記軸部における前記筒状部よりも下方の部分に固定され、浮上したときに前記筒状部の下端と当接する弁ストッパと、を有している、請求項４または５に記載の排水設備用蓋。
【請求項７】
前記蓋枠は、筒状部と、前記筒状部から径方向内側に突出する被係合部とを有し、
前記ストッパは、前記本体部から下方に延びる縦部と、前記被係合部よりも下方にて前記縦部から径方向外側に突出し、前記蓋本体が前記蓋枠から浮上したときに前記被係合部と係合する係合部とを有している、請求項１〜６のいずれか一つに記載の排水設備用蓋。
【発明の詳細な説明】
【技術分野】
【０００１】
本発明は、排水設備に取り付けられる排水設備用蓋に関する。
【背景技術】
【０００２】
従来から、例えば、ます、マンホール、雨水貯留槽などの排水設備に、圧力開放機能を有する蓋を設けることが知られている（例えば、特許文献１および２参照）。圧力開放機能を有する蓋を設けることにより、排水設備の内部圧力が高くなったときに、当該蓋の一部または全部が開くことによって圧力を開放することができる。これにより、排水設備の内部圧力が高くなることを防ぐことができ、内部圧力を所定圧力以下に調整することができる。そのため、逆流の発生や排水設備の破損等を未然に防止することができる。
【０００３】
特許文献１には、圧力開放機能を有するマンホールの蓋が記載されている。この蓋は、中心部に排気孔が形成された蓋本体と、排気孔に取り付けられた排気弁とを有している。特許文献１に記載された蓋では、マンホールの内部圧力が高くなるとその内部圧力によって排気弁が上方に押し上げられ、排気孔が開放される。
【０００４】
特許文献２には、貯留槽の点検口に設けられた蓋が記載されている。この蓋は、点検口に固定された蓋枠と、蓋枠に嵌め込まれた蓋本体とを備えている。蓋本体は、貯留槽の内部圧力が高くなると、その内部圧力によって上方に押し上げられ、蓋枠から浮き上がるように構成されている。特許文献２に記載された蓋では、貯留槽の内部圧力が高くなると、蓋本体が蓋枠から浮上することにより、点検口が開放される。
【先行技術文献】
【特許文献】
【０００５】
【特許文献１】実公昭５９−３４６１７号公報
【特許文献２】特許第５５１３０２１号公報
【発明の概要】
【発明が解決しようとする課題】
【０００６】
ところで、近年、局所的に激しい雨が降ること、すなわち集中豪雨が問題となっている。集中豪雨時には、一時的に大量の雨水が排水設備内を流れるため、意図しない箇所から雨水が漏れたり、排水設備に破損が生じないよう、雨水の一部を点検口から強制排出しなければならない場合がある。このような場合、圧力開放機能を有する蓋によれば、圧力を開放する動作と同様にして、雨水を外部に排出することができる。
【０００７】
しかし、特許文献１に記載された蓋では、排気孔は蓋の中心部のみに形成されており、排気孔の開口面積が小さい。開放されるのは蓋本体の一部のみである。そのため、集中豪雨時に雨水を排出しなければならない場合に、排出できる雨水の量が少ないという課題がある。
【０００８】
特許文献２に記載された蓋では、点検口が開放されるので、集中豪雨時に多くの雨水を排出することができる。しかし、集中豪雨時以外のときに内部圧力を開放する場合にも、点検口の全体を開放するために蓋本体の全体を浮上させなければならない。そのため、内部圧力が相当高くならなければ内部圧力を開放することができず、微小な圧力調整ができないという課題がある。なお、上述の課題は、集中豪雨時の雨水設備に限らず、点検口から水を強制的に排出すべき場合が生じ得る他の排水設備においても、同様に生じる課題である。
【０００９】
本発明はかかる点に鑑みてなされたものであり、その目的は、排水設備の微小な圧力調整が可能であると共に、排水設備の点検口から多くの排水を排出可能な排水設備用蓋を提供することである。
【課題を解決するための手段】
【００１０】
本発明に係る排水設備用蓋は、排水設備の点検口に固定される蓋枠と、排気孔が形成され、前記蓋枠に載置されることにより前記蓋枠に着脱自在に装着される蓋本体と、前記排気孔を開閉自在に覆うように前記蓋本体に載置された排気弁と、を備える。前記蓋本体は、前記排気孔が形成された本体部と、前記本体部が前記蓋枠から浮上したときに前記蓋枠と係合することによって前記蓋本体の飛散を防止するストッパと、を有している。
【００１１】
上記排水設備用蓋によれば、排水設備の内部圧力が高まると、蓋本体に載置された排気弁がその内部圧力によって上方に持ち上げられる。これにより、蓋本体の排気孔が開かれ、排水設備の内部圧力が高くなることが防止される。内部圧力を開放する際に蓋本体の全体を浮上させる必要がないので、微小な圧力調整が可能である。一方、例えば集中豪雨時に雨水の一部が点検口まで上昇すると、蓋枠に載置された蓋本体がその雨水によって上方に持ち上げられる。これにより、点検口（厳密には蓋枠の開口）が開かれ、雨水を点検口から排出することができる。よって、排気孔からだけでは排出しきれない程の多くの雨水を排出することができる。なお、蓋本体が浮上することによって点検口が開放されるが、ストッパが蓋枠と係合することにより、蓋本体の飛散が防止される。雨水を排出し終わったときに、蓋本体は自重により下降し、点検口は閉じられる。以上のように、上記排水設備用蓋によれば、排水設備の微小な圧力調整が可能であると共に、点検口から多くの排水を排出することができる。
【００１２】
本発明の好ましい一態様によれば、前記排気弁の重量は、前記蓋本体の重量よりも小さい。
【００１３】
上記態様によれば、排気弁は蓋本体よりも浮上しやすいので、排水設備の微小な圧力調整を行うことができる。
【００１４】
本発明の好ましい他の一態様によれば、前記蓋本体の平面視面積は、前記排気弁の平面視面積よりも大きい。
【００１５】
上記態様によれば、排水により蓋本体が持ち上げられたときに、より多くの排水を排出することができる。
【００１６】
本発明の好ましい他の一態様によれば、前記排気弁は、平面視において円形に形成された弁体部を有している。前記蓋本体の前記本体部は、平面視において前記弁体部の周囲を囲む環状部を有している。なお、「円形に形成された」における「円形」とは、真円に限らず、長円等も含まれる。また、「円形に形成された」は、実質的に円形に形成されていれば足り、例えば、外周縁に凹凸が設けられていてもよい。
【００１７】
例えば集中豪雨時に点検口から雨水を排出する際には、まず、排気弁が浮上し、その後に、排気弁が浮上した状態のまま蓋本体が浮上することになる。上記態様によれば、排気弁および蓋本体は、偏りのない均等な重量バランスを有している。そのため、排気弁が浮上した状態のまま蓋本体が浮上するときに、蓋本体が傾きにくい。よって、蓋本体が真っ直ぐ浮上しやすいので、排水を良好に排出することができる。
【００１８】
本発明の好ましい他の一態様によれば、前記蓋本体の前記本体部のうち前記環状部の径方向内側の部分は、下方に凹んだ凹部を有している。前記排気弁の前記弁体部は、前記凹部に嵌合するように構成されている。前記弁体部が前記凹部に嵌合しているときに、前記蓋本体の上面と前記排気弁の上面とが実質的に面一になるように構成されている。
【００１９】
上記態様によれば、蓋本体の上面を地面と面一に配置することにより、排気弁が凹部に嵌合しているときの排気弁、蓋本体、および地面を面一に配置することができる。すなわち、排気弁が閉じているときの蓋および地面を面一に配置することができる。
【００２０】
本発明の好ましい他の一態様によれば、前記蓋本体の前記本体部は、前記環状部よりも径方向の内側に配置された筒状部と、前記筒状部と前記環状部とをつなぐ架け渡し部とを有している。前記排気孔は、前記筒状部と前記環状部と前記架け渡し部とにより仕切られている。前記排気弁は、前記弁体部から下方に延びかつ前記筒状部にスライド可能に挿通された軸部と、前記軸部における前記筒状部よりも下方の部分に固定され、浮上したときに前記筒状部の下端と当接する弁ストッパと、を有している。
【００２１】
上記態様によれば、排水設備の微小な圧力調整が可能であると共に、点検口から多くの排水を排出可能な排水設備用蓋の好適な一形態を得ることができる。
【００２２】
本発明の好ましい他の一態様によれば、前記蓋枠は、筒状部と、前記筒状部から径方向内側に突出する被係合部とを有している。前記ストッパは、前記本体部から下方に延びる縦部と、前記被係合部よりも下方にて前記縦部から径方向外側に突出し、前記蓋本体が前記蓋枠から浮上したときに前記被係合部と係合する係合部とを有している。
【００２３】
上記態様によれば、蓋本体が排水によって持ち上げられたときに、ストッパの係合部が蓋枠の被係合部に係合することにより、蓋本体の飛散を防止することができる。
【発明の効果】
【００２４】
本発明によれば、排水設備の微小な圧力調整が可能であると共に、排水設備の点検口から多くの排水を排出可能な排水設備用蓋を提供することができる。
【図面の簡単な説明】
【００２５】
【図１】雨水設備の側面図である。
【図２】雨水設備の平面図である。
【図３】蓋および点検筒の断面図である。
【図４】蓋本体の本体部の平面図である。
【図５】蓋の側面図である。
【図６】蓋の裏面図である。
【図７】蓋の平面図である。
【図８】排気弁が開いているときの蓋および点検筒の断面図である。
【図９】排気弁および蓋本体が開いているときの蓋および点検筒の断面図である。
【発明を実施するための形態】
【００２６】
以下、本発明の実施の一形態について説明する。図１は雨水設備１の側面図、図２は雨水設備１の平面図である。本実施形態に係る雨水設備１は、地中に埋設されたものである。ただし、雨水設備１は地中に埋設されたものに限らず、その一部または全部が地上に設置されていてもよい。
【００２７】
雨水設備１は、第１配管２１と、第１配管２１に接続されたます２０と、ます２０に接続された第２配管４と、第２配管４に接続された雨水貯留槽３と、雨水貯留槽３に接続された第３配管６とを備えている。第３配管６は側溝６０に接続されている。雨水貯留槽３は、槽本体２および点検筒５を有している。第１配管２１は、ます２０に向けて雨水を導く配管である。第２配管４は、ます２０から排出される雨水を雨水貯留槽３に導く配管である。第３配管６は、雨水貯留槽３から側溝６０に向けて雨水を導く配管である。
【００２８】
ます２０の上部には点検口１１が形成されている。雨水貯留槽３の点検筒５の上部にも点検口１１が形成されている。点検口１１は上向きに開口している。ます２０の点検口１１および雨水貯留槽３の点検筒５の点検口１１には、本実施形態に係る雨水設備用蓋（以下、単に蓋という）１０が設けられている。なお、蓋１０は、ます２０の点検口１１および雨水貯留槽３の点検筒５の点検口１１のいずれか一方のみに設けられ、他方には圧力開放機能を有さない蓋が設けられていてもよい。
【００２９】
次に、蓋１０の詳細について説明する。ここでは、雨水貯留槽３の点検筒５の点検口１１に設けられた蓋１０について説明する。図３に示すように、蓋１０は、点検口１１に固定される蓋枠１２と、蓋枠１２に載置されることにより蓋枠１２に着脱自在に装着される蓋本体１５と、蓋本体１５に載置された排気弁１４とを備えている。
【００３０】
蓋本体１５は、本体部１３およびストッパ１６を有している。ここでは、本体部１３とストッパ１６とは別体であり、ストッパ１６は本体部１３に取り付けられている。ただし、本体部１３およびストッパ１６は別体に限らず、一体物であってもよい。蓋本体１５は、シール材１７を介して蓋枠１２に嵌合されているが、蓋枠１２の上に載せられているだけであり、接着等によって固定されている訳ではない。
【００３１】
図４は本体部１３の平面図である。本体部１３は、平面視において環状に形成された環状部１３Ａと、環状部１３Ａよりも径方向の内側に配置された筒状部１３Ｂと、筒状部１３Ｂと環状部１３Ａとをつなぐ架け渡し部１３Ｃとを有している。架け渡し部１３Ｃは、径方向に延びる棒状に形成されている。架け渡し部１３Ｃの本数は特に限定されないが、複数であることが好ましい。ここでは、架け渡し部１３Ｃは４本設けられている。
【００３２】
環状部１３Ａには、ストッパ１６が嵌め込まれる孔１３ａが形成されている。ここでは、環状部１３Ａに２つの孔１３ａが形成されている。２つの孔１３ａは、本体部１３の中心Ｃ（なお、本体部１３の中心は、排気弁１４の中心でもあり、蓋１０の中心でもある。）に対して、点対称の位置に配置されている。ただし、孔１３ａの配置は特に限定されない。また、孔１３ａの数はストッパ１６の本数と同数であればよく、２つに限定されない。孔１３ａの数は１つでもよく、３つ以上であってもよい。
【００３３】
環状部１３Ａの内側には、排気孔１３ｂが形成されている。ここでは、４つの排気孔１３ｂが形成されている。ただし、排気孔１３ｂの数は４に限定されない。排気孔１３ｂの数は１〜３であってもよく、５以上であってもよい。排気孔１３ｂは、環状部１３Ａと筒状部１３Ｂと架け渡し部１３Ｃとによって仕切られている。筒状部１３Ｂには、挿通孔１３ｃが形成されている。
【００３４】
図３に示すように、環状部１３Ａの中心部には、排気弁１４が嵌め込まれる凹部１３ｄが形成されている。すなわち、本体部１３のうち環状部１３Ａの径方向内側の部分は、凹部１３ｄを有している。排気弁１４が凹部１３ｄに嵌め込まれることにより、排気弁１４の上面と蓋本体１５の上面と地面とが実質的に面一となる。凹部１３ｄの周縁には、中心側に行くにつれて下方へ向かうように傾斜した傾斜面１３ｅが形成されている。環状部１３Ａの外周面には、シール材１７が取り付けられている。
【００３５】
ストッパ１６は、環状部１３Ａの孔１３ａに嵌め込まれた頭部１６Ａと、頭部１６Ａの下方に位置する軸部１６Ｂとを有している。頭部１６Ａの外周面には、シール材１８が取り付けられている。軸部１６Ｂは、頭部１６Ａから下方に延びる縦部１６ａと、縦部１６ａから径方向の外側に延びる係合部１６ｂとを有している。
【００３６】
蓋枠１２は点検筒５に固定されている。蓋枠１２は、例えば点検筒５に接着されていてもよい。蓋枠１２は、点検筒５に接着された接着部を有していてもよい。蓋枠１２を点検筒５に固定する構成は何ら限定されない。蓋枠１２は、蓋本体１３を支持する支持部１２ａを有している。ここでは支持部１２ａは、蓋本体１３の外周部の下面を支持する平坦面によって構成されている。
【００３７】
蓋枠１２は、筒状部１２ｂと、筒状部１２ｂから径方向内側に突出する被係合部１２ｃとを有している。ここでは被係合部１２ｃは、リング状に形成されている。ストッパ１６の係合部１６ｂの径方向の外端は、蓋枠１２の被係合部１２ｃの径方向の内端よりも、径方向の外側に位置している。平面視において、被係合部１２ｃと係合部１６ｂとは部分的に重なっている。図５は蓋１０の側面図、図６は蓋１０の裏面図である。図６に示すように、下方から見て、被係合部１２ｃと係合部１６ｂとは部分的に重なっている。そのため、蓋本体１５が上方に移動すると、ストッパ１６の係合部１６ｂと蓋枠１２の被係合部１２ｃとが当接し、蓋本体１５の上方への移動が規制される。
【００３８】
図３に示すように、排気弁１４は、排気孔１３ｂの上方に位置する弁体部１４Ａと、弁体部１４Ａから下方に延びる軸部１４Ｂと、軸部１４Ｂの下端部に固定された弁ストッパ１４Ｃとを有している。軸部１４Ｂは、蓋本体１３の筒状部１３Ｂの挿通孔１３ｃにスライド可能に挿通されている。
【００３９】
図７に示すように平面視において、弁体部１４Ａは円形に形成されている。平面視において、弁体部１４Ａの周囲は蓋本体１５の環状部１３Ａに囲まれている。図３に示すように、弁体部１４Ａの側面は、下方に行くほど中心側に向かうように傾斜している。弁体部１４Ａの側面には、シール材１９が設けられている。
【００４０】
弁ストッパ１４Ｃは、軸部１４Ｂにおける筒状部１３Ｂよりも下方の部分に固定されている。弁ストッパ１４Ｃの径方向の外端は、筒状部１３Ｂの挿通孔１３ｃの内周面よりも、径方向の外側に位置している。平面視において、筒状部１３Ｂと弁ストッパ１４Ｃとは部分的に重なっている。そのため、排気弁１４が蓋本体１５に対して上方に移動すると、弁ストッパ１４Ｃと筒状部１３Ｂとが当接し、排気弁１４の上方への移動が規制される。
【００４１】
蓋枠１２、蓋本体１５の本体部１３およびストッパ１６、並びに排気弁１４の材料は、何ら限定されない。例えば、塩化ビニルなどの合成樹脂であってもよい。
【００４２】
排気弁１４の重量は、蓋本体１５の重量よりも小さい。図７に示すように、蓋本体１５の平面視面積は、排気弁１４の平面視面積よりも大きい。
【００４３】
以上が蓋１０の構成である。説明は省略するが、ます２０の点検口１１に設けられる蓋１０の構成も同様である。蓋１０は、雨水設備１の内部圧力が高くなったときにその圧力を開放する機能と、集中豪雨時に雨水設備１に大量の雨水が流入してきたときに、その雨水の一部を排出する機能とを有する。次に、雨水貯留槽３の点検筒５に設けられた蓋１０を例として、蓋１０の圧力開放動作および雨水排出動作について説明する。
【００４４】
雨水貯留槽３の内部圧力（空気の圧力）が高くなると、蓋１０に対して、下方から上方へ向けて圧力が加わる。圧力が所定の圧力（以下、第１圧力という）以上になると、図８に示すように、排気弁１４が上記圧力によって浮上する。すると、排気弁１４によって塞がれていた排気孔１３ｂ（図４参照）が開放される。これにより、雨水貯留槽３の内部空気の一部が排気孔１３ｂを通じて外部に逃がされ、雨水貯留槽３の内部圧力が低下する。よって、雨水貯留槽３の内部圧力が過剰に高くなることが防止される。なお、排気弁１４は弁ストッパ１４Ｃを備えているので、蓋本体１５から外れてしまうことが防止される。雨水貯留槽３の内部圧力が第１圧力未満になると、排気弁１４は自重によって降下し、蓋本体１５の上に載置される。すると、排気弁１４によって排気孔１３ｂが塞がれ、雨水貯留槽３は密閉される。なお、雨水貯留槽３の内部圧力が再度高くなると、同様の動作が繰り返される。これにより、雨水貯留槽３の内部圧力が第１圧力未満に調節される。
【００４５】
集中豪雨時に、雨水設備１に大量の雨水が流入し、雨水貯留槽３から雨水が溢れる場合がある。そのような場合には、雨水が点検筒５内を上昇し、この雨水によって、蓋１０に上向きの圧力が加わる。蓋１０に加わる圧力が第１圧力以上になると、排気弁１４が蓋本体１５から浮上し、排気孔１３ｂが開放される（図８参照）。雨水は排気孔１３ｂを通じて雨水貯留槽３の外部に排出される。
【００４６】
雨水貯留槽３から溢れる雨水の量が多い場合、排気孔１３ｂのみでは十分な量の雨水を排出しきれず、蓋１０に対して更に圧力が加わる。蓋１０に対し、第１圧力よりも大きな圧力（以下、第２圧力という）が加わると、図９に示すように、蓋本体１５が蓋枠１２から浮上し、点検口１１が開放される。なお、点検口１１には蓋枠１２が固定されているので、蓋本体１５が蓋枠１２から浮上すると、厳密には、蓋枠１２の内側が開放されることになる。しかし、本明細書では、このように蓋枠１２の内側が開放されることを、「点検口１１が開放される」と言うこととする。第２圧力は第１圧力よりも大きいので、蓋本体１５は、排気弁１４が蓋本体１５から浮上した状態のまま、蓋枠１２から浮上する。蓋本体１５が蓋枠１２から浮上すると、雨水は、排気孔１３ｂと、蓋本体１５と蓋枠１２との間の隙間とから、雨水貯留槽３の外部に排出される。そのため、排出される雨水の量が多くなる。なお、蓋本体１５が浮上した後、ストッパ１６の係合部１６ｂと蓋枠１２の被係合部１２ｃとが係合し、蓋本体１５の更なる上昇が防止される。よって、蓋本体１５が蓋枠１２から飛散することはない。また、蓋本体１５が蓋枠１２の上方の位置に保たれる。雨水が十分に排出され、蓋１０に加わる圧力が第２圧力よりも小さくなると、蓋本体１５は自重によって蓋枠１２の上に載り、点検口１１は閉鎖される。また、蓋１０に加わる圧力が第１圧力よりも小さくなると、排気弁１４が蓋本体１５の上に載り、排気孔１３ｂが塞がれる。
【００４７】
以上のように、本実施形態に係る蓋１０によれば、雨水設備１の内部圧力が高まると、排気弁１４がその内部圧力によって上方に持ち上げられる。これにより、排気孔１３ｂが開かれ、雨水設備１の内部圧力が過剰に高くなることを防止することができる。本実施形態に係る蓋１０によれば、雨水設備１の内部圧力を開放する際に、蓋本体１５を浮上させる必要がない。蓋本体１５よりも軽い排気弁１４を浮上させることにより、雨水設備１内の空気を外部に逃がすことができる。よって、雨水設備１の微小な圧力調整が可能である。一方、集中豪雨時に雨水が点検口１１まで上昇した場合、排気弁１４が浮上することにより、排気孔１３ｂを通じて雨水の一部を雨水設備１の外部に排出することができる。更に、排気孔１３ｂからだけでは雨水を排出しきれない場合、蓋本体１５が蓋枠１２から浮上し、点検口１１が開放される。そのため、排気孔１３ｂに加えて、蓋本体１５と蓋枠１２との間の隙間からも、雨水の一部を排出することができる。よって、雨水の排出量を増加させることができる。本実施形態に係る蓋１０によれば、集中豪雨時において、排気孔１３ｂだけでは排出しきれない程の多くの雨水を排出することができる。以上のように、本実施形態に係る蓋１０によれば、雨水設備１の微小な圧力調整が可能であると共に、集中豪雨時に多くの雨水を排出することができる。
【００４８】
また、本実施形態に係る蓋１０によれば、雨水設備１から溢れ出す雨水の量に応じて、雨水の排出量を２段階に調整することができる。よって、集中豪雨時に雨水を好適に排出することができる。
【００４９】
本実施形態に係る蓋１０では、排気弁１４が浮上することにより排気孔１３ｂが開放されるが、排気弁１４が所定量浮上すると、弁ストッパ１４Ｃが蓋本体１５の筒状部１３Ｂに当接する。そのため、排気弁１４が蓋本体１５から外れることがない。よって、雨水設備１の内部の空気または雨水を排気孔１３ｂから排出した後、排気弁１４は自重により蓋本体１５の上に載り、排気孔１３ｂは閉じられる。
【００５０】
また、蓋本体１５が蓋枠１２から浮上することによって点検口１１が開放されるが、蓋本体１５が所定量以上浮上すると、ストッパ１６が蓋枠１２と係合する。そのため、蓋本体１５が蓋枠１２の上方の位置から外れることがない。よって、点検口１１から雨水を排出した後、蓋本体１５は自重により蓋枠１２の上に載り、点検口１１は閉じられる。
【００５１】
蓋本体１５の平面視面積は、排気弁１４の平面視面積よりも小さくてもよく、等しくてもよいが、本実施形態では、排気弁１４の平面視面積よりも大きい。そのため、蓋本体１５が雨水によって持ち上げられたときに、より多くの雨水を排出することができる。集中豪雨時に、より多くの雨水を排出することができる。
【００５２】
本実施形態に係る蓋１０では、排気弁１４は平面視において円形に形成された弁体部１４Ａを有し、蓋本体１５は平面視において弁体部１４Ａの周囲を囲む環状部１３Ａを有している。排気弁１４および蓋本体１５は、偏りのない均等な重量バランスを有している。そのため、排気弁１４が浮上した状態のまま蓋本体１５が蓋枠１２から浮上するときに、蓋本体１５が傾きにくい。よって、蓋本体１５が真っ直ぐ浮上しやすいので、雨水を良好に排出することができる。
【００５３】
以上、本発明の実施の一形態について説明したが、本発明の実施の形態が前記形態に限られないことは勿論である。本発明は、種々の形態にて実施することができる。次に、他の実施形態について簡単に説明する。
【００５４】
前記実施形態に係る蓋１０は、雨水貯留槽３の点検筒５またはます１０に設けられたものである。しかし、本発明に係る蓋の適用対象は、雨水貯留槽３およびます１０に限定されない。本発明に係る蓋は、任意の雨水設備に適用可能である。また、本発明に係る蓋は、雨水設備に限らず、汚水を排出する汚水設備等の他の排水設備に適用することもできる。
【００５５】
前記実施形態では、蓋１０は地表面と同じ高さに設置されている。しかし、蓋１０の設置高さは何ら限定されない。蓋１０は、地上に設置された点検筒等に設けられていてもよく、地下に設置されていてもよい。蓋１０は、地表よりも高い位置に配置されていてもよく、地表よりも低い位置に配置されていてもよい。
【００５６】
排気弁１４の数は１つに限られない。本発明に係る蓋は、複数の排気弁を備えていてもよい。
【００５７】
排気孔１３ｂおよび排気弁１４の位置は、平面視において蓋本体１３の中央部に限られない。排気孔１３ｂは、周囲が閉じた孔に限定されない。例えば、排気孔１３ｂおよび排気弁１４は、平面視において蓋本体１３の径方向の外端部に設けられていてもよい。排気孔１３ｂは、周囲の一部が開いた孔であってもよい。
【００５８】
排気弁１４は、上下にスライドする弁に限られない。排気弁１４は、例えば、一端が蓋本体１５に固定された板ばね式の弁であってもよい。
【００５９】
蓋本体１３の架け渡し部１３Ｃの形状は棒状に限られない。架け渡し部１３Ｃの形状として、環状部１３Ａと筒状部１３Ｂとをつなぐことのできる任意の形状を採用することができる。
【００６０】
前記実施形態では、蓋枠１２は点検筒５と別体であり、点検筒５に固定されていた。しかし、蓋枠１２は点検筒５と一体化されていてもよい。点検筒５の一部が蓋枠１２を兼ねていてもよい。雨水設備１の一部が蓋枠１２を兼ねていてもよい。
【符号の説明】
【００６１】
１      雨水設備
２      雨水貯留槽
５      点検筒
１０    蓋
１１    点検口
１２    蓋枠
１２ｃ  被係合部
１３    本体部
１３Ａ  環状部
１３Ｂ  筒状部
１３Ｃ  架け渡し部
１３ｂ  排気孔
１４    排気弁
１４Ａ  弁体部
１４Ｂ  軸部
１４Ｃ  弁ストッパ
１５    蓋本体
１６    ストッパ
１６ｂ  係合部
【図１】
2018025025.tif 000003
【図２】
2018025025.tif 000004
【図３】
2018025025.tif 000005
【図４】
2018025025.tif 000006
【図５】
2018025025.tif 000007
【図６】
2018025025.tif 000008
【図７】
2018025025.tif 000009
【図８】
2018025025.tif 000010
【図９】
2018025025.tif 000011